(57)【要約】【課題】有機酸系化合物を含有する消火組成物を提供する。【解決手段】当該消火組成物は有機酸系化合物を含有し、その中、有機酸系化合物の含有量は５０（質量）％以上であって、７０（質量）％〜９０（質量）％であることが好ましく、本発明の有機酸系化合物は高温で吸熱して分解し、消火物質を生成し、当該消火物質はラジカルが燃焼連鎖反応に必要なＯ、ＯＨ、Ｈラジカル中の１種類又は複数種類と反応することで、燃焼連鎖反応を切断し、また、物理作用によって酸素の分圧を減少して火炎を抑制することもでき、又は、同時に物理及び化学抑制作用を果たして消火効果を実現することもでき、同時に、花火類薬剤と相乗効果を果たし、消火剤の消火効力を一層向上させ、消火時間を大幅に短縮する。【選択図】なし【特許請求の範囲】
【請求項１】
有機酸系化合物を含有し、前記有機酸系化合物の含有量は５０（質量）％以上であって、
花火類薬剤を熱エネルギー源と動力源とし、花火類薬剤を燃焼させ、花火類薬剤が燃焼する際の高温で加熱されて分解反応を発生し、大量の消火可能の物質を生成し、当該消火物質を花火類薬剤と一緒に噴射口から噴射することによって、消火の目的を実現することを特徴とする有機酸系化合物を含有する消火組成物。
【請求項２】
クエン酸塩、シュウ酸塩、炭酸塩、フェロセン、フェロセン誘導体の中の一つ又は複数であるサブ消火材料をさらに含有し、その含有量は０（質量）％を超え、且つ３０（質量）％以下であることを特徴とする請求項１に記載の有機酸系化合物を含有する消火組成物。
【請求項３】
難燃剤をさらに含有し、前記難燃剤の含有量が０（質量）％を超え、且つ５０（質量）％以下であることを特徴とする請求項１に記載の有機酸系化合物を含有する消火組成物。
【請求項４】
添加剤をさらに含有し、前記添加剤の含有量が０．１〜１０（質量）％であることを特徴とする請求項１ないし請求項３のいずれかに記載の有機酸系化合物を含有する消火組成物。
【請求項５】
前記添加剤が、ステアリン酸塩、グラファイト、水溶性高重合体配合溶液又はその混合物、又は水ガラス、フェノール樹脂、ラック、澱粉の中の一つ又は複数であることを特徴とする請求項４に記載の有機酸系化合物を含有する消火組成物。
【請求項６】
前記有機酸系化合物が、デカン酸、ドデカン酸、ミリスチン酸、パルミチン酸、ヘプタデカン酸、ステアリン酸、アラキジン酸、ベヘン酸、セロチン酸、メリシン酸、ラッセル酸、クロトン酸、オクタデセン酸、ヘプタデセン酸、２−ヘキサデセン酸、ヘキサジエン酸、シュウ酸、マロン酸、コハク酸、グルタル酸、ピメリン酸、スベリン酸、セバシン酸、ブラシル酸、ヘキサデカン二酸、マレイン酸、フマル酸、２−ヒドロキシプロパン酸、２−ヒドロキシブタン二酸、２，３−ジヒドロキシブタン二酸、２−ヒドロキシプロパン−１，２，３−トリカルボン酸、３−フェニル−２−プロペン酸、２−ヒドロキシ安息香酸、３，４，５−トリヒドロキシ安息香酸、安息香酸又はクレアチンであることを特徴とする請求項４に記載の有機酸系化合物を含有する消火組成物。
【請求項７】
前記有機酸系化合物の含有量が７０（質量）％〜９０（質量）％であることを特徴とする請求項６に記載の有機酸系化合物を含有する消火組成物。
【請求項８】
前記難燃剤が、臭素系難燃剤、塩素系難燃剤、有機リン系難燃剤、リンーハロゲン系難燃剤、窒素系及びリン−窒素系難燃剤又は他の難燃剤又はその任意の組合せであることを特徴とする請求項３に記載の有機酸系化合物を含有する消火組成物。
【請求項９】
前記難燃剤の含有量が０（質量）％を超え、且つ３０（質量）％未満であることを特徴とする請求項８に記載の有機酸系化合物を含有する消火組成物。
【請求項１０】
サブ消火材料４％〜２５％と、
難燃剤４％〜２５％と、
添加剤０．１％〜５％と、をさらに含有することを特徴とする請求項１に記載の有機酸系化合物を含有する消火組成物。
【発明の詳細な説明】
【技術分野】
【０００１】
本発明は、２０１１年０８月１６日に出願した中国特許出願２０１１１０２３５１０１．３の優先権を主張し、その内容を全部参照によって取り込む。
【０００２】
本発明は、エアロゾル消火技術分野に関し、特に、熱によって分解し消火物質を生成できる消火組成物に関する。
【背景技術】
【０００３】
１９８７年カナダモントリオール議定書にて各国に対しハロン消火剤の代わりのものに関する具体的な目標を提出してから、世界各国では新しい消火技術の研究に努力していて、消火効率を向上しつつ、環境に対する影響を低減できる消火技術は努力の方向となっている。気体消火システム、粉末消火システム、水系消火システム等は、環境に無害であるので、ハロン消火剤の代わりのものとして汎用されている。
【０００４】
しかし、上記の消火システムによると、いずれも高圧貯蔵を行わなければならなく、体積が大きいと共に、貯蔵中に物理的に爆発するリスクも存在し、非特許文献１にて気体消火システムに存在するリスクを分析していて、使用中に発生した貯蔵気体消火システムの安全事故が挙げられている。
【０００５】
近年、ハロンの代わりに利用できる消火物質を研究していて、その中で、米国標準と技術研究院の建築と防火研究センターの次世代消火技術プロジェクトグループ（ＮＧＰ）は新しい消火材料を探すために大量の実験研究を行って、彼らは窒素、二酸化炭素、ＣＦ３Ｈを加熱し、これらの高温の気体で試験物質を加熱し、試験物質が高温で分解し、気体と一緒に火炎に作用して、実験の結果、一部の試験物質の吸熱分解生産物が窒素、二酸化炭素及びＣＦ３Ｈ気体の消火効果を顕著に向上できることを発現した（非特許文献２；非特許文献３）。
【０００６】
しかし、当該プロジェクトグループの研究はいずれも理論研究に基づくものに過ぎず、実際の消火器に応用されていない。
【０００７】
既存のエアロゾル消火剤は主に、Ｓ型とＫ型の消火剤で、その性能を総合に分析すると、エアロゾル消火剤はいずれも消火剤が酸化還元反応後に大量の気体、活性粒子を発生し、活性粒子の鎖の切断反応、大量気体の被覆窒息によって化学と物理の結合による消火目的を実現する。エアロゾル消火剤は、燃焼反応によって消火物質を放出する共に、大量の熱を放出し、装置及びエアロゾルの温度を効率的に低下させて二次火災を防止するためには、冷却システムの追加が必要になり、これにより装置の構造が複雑になり、工程が複雑になり、コストが高まり、しかし、冷却システムの存在により、大量の活性粒子が活性を失い、消火性能が大幅に低減されてしまう。
【先行技術文献】
【非特許文献】
【０００８】
【非特許文献１】文献「気体消火システムの安全性分析」（消防科学と技術２００２２１（５））
【非特許文献２】Ａｌｂｕｑｕｅｒｑｕｅ，  ＮＭ，  Ｓｕｐｐｒｅｓｓｉｏｎ  ｏｆ  ｃｕｐ−ｂｕｒｎｅｒ  ｄｉｆｆｕｓｉｏｎ  ｆｌａｍｅｓ  ｂｙ  ｓｕｐｅｒ−ｅｆｆｅｃｔｉｖｅ  ｃｈｅｍｉｃａｌ  ｉｎｈｉｂｉｔｏｒｓ  ａｎｄ  ｉｎｅｒｔ  ｃｏｍｐｏｕｎｄｓ，［ｏｎｌｉｎｅ］  ２００１年４月，  Ｈａｌｏｎ  Ｏｐｔｉｏｎｓ  Ｔｅｃｈｎｉｃａｌ  Ｗｏｒｋｉｎｇ  Ｃｏｎｆｅｒｅｎｃｅ（ｈｔｔｐ：／／ｆｉｒｅ．ｎｉｓｔ．ｇｏｖ／ｂｆｒｌｐｕｂｓ／ｆｉｒｅ０２／ａｒｔ１７１．ｈｔｍｌ）
【非特許文献３】Ｃｏｍｂｕｓｔｉｏｎ  ａｎｄ  Ｆｌａｍｅ  １２９：２２１−２３８（２００２）  Ｉｎｈｉｂｉｔｉｏｎ  ｏｆ  Ｐｒｅｍｉｘｅｄ  Ｍｅｔｈａｎｅ  Ｆｌａｍｅ  ｂｙ  Ｍａｎｇａｎｅｓｅ  ａｎｄ  Ｔｉｎ  Ｃｏｍｐｏｕｎｄｓ，  Ｈａｌｏｎ  Ｏｐｔｉｏｎｓ  Ｔｅｃｈｎｉｃａｌ  Ｗｏｒｋｉｎｇ  Ｃｏｎｆｅｒｅｎｃｅ  Ｍａｙ  ２０００，  ｆｌａｍｅ  ｉｎｈｉｂｉｔｉｏｎ  ｂｙ  ｆｅｒｒｏｃｅｎｅ，  ａｌｏｎｅ  ａｎｄ  ｗｉｔｈ  ＣＯ２  ａｎｄ  ＣＦ３Ｈ
【発明の概要】
【発明が解決しようとする課題】
【０００９】
本発明は、既存技術における消火組成物に存在する技術課題を解決するため、消火効果がさらによく、安全性性能が一層向上された有機酸系化合物を含有する消火組成物を提供することを目的とする。
【課題を解決するための手段】
【００１０】
本発明の技術案は以下の通りである。
有機酸系化合物を含有し、有機酸系化合物の含有量は５０（質量）％以上であって、７０（質量）％〜９０（質量）％であることが好ましく、本発明の有機酸系化合物は高温で吸熱して分解し、消火物質を放出し、当該消火物質はラジカルが燃焼連鎖反応に必要なＯ、ＯＨ、Ｈのラジカル中の１種類又は複数種類と反応することで、燃焼連鎖反応を切断し、また、物理作用によって酸素の分圧を減少して火炎を抑制することもでき、又は、同時に物理及び化学抑制作用を果たして消火効果を実現することもでき、同時に、花火類薬剤と相乗効果を果たし、消火剤の消火効力を一層向上させ、消火時間を大幅に短縮することを特徴とする有機酸系化合物を含有する消火組成物。
【００１１】
上記メイン消火材料である有機酸系化合物の消火性能を改善するため、上記消火組成物に難燃剤である臭素系難燃剤、塩素系難燃剤、有機リン系難燃剤、リンーハロゲン系難燃剤、窒素系及びリン−窒素系難燃剤又は他の難燃剤又はその任意の組合せを添加することができ、具体的には、リン酸水素二アンモニウム、無水燐酸アンモニウム、ジシアンジアミド、メラミン、テトラブロモビスフェノールＡ、テトラクロロビスフェノールＡ、デカブロモジフェニルエーテル、ＤＯＰＯ、トリス（２，４−ジブロモフェニル）フォスフェート、メラミン、メラミンホスフェート、リン酸グアニジン、炭酸グアニジン、ジシアンジアミド、ポリリン酸アンモニウム等であることができ、ここで、難燃剤の消火組成物における含有量は５０（質量）％未満で、４０％以下であることができ、３０％以下であることが好ましく、４％〜２５％であることが最も効率的である。
【００１２】
上記メイン消火材料である有機酸系化合物の加工性能を改善するため、本発明の消火組成物に添加剤をさらに添加することができ、ここで、添加剤の含有量は０．１〜１０質量％で、０．１〜５であることが好ましく、当該添加剤が、ステアリン酸塩、グラファイト、水溶性高重合体配合溶液又はその混合物であることができ、又は水ガラス、フェノール樹脂、ラック、澱粉の中の一つ又は複数であることもでき、応用状況に応じ決定される。
【００１３】
本発明の消火組成物にサブ消火材料を添加することもでき、その含有量を０〜３０（質量）％に制御でき、４％〜２５％であることが好ましい。サブ消火材料は、フェロセン又はその誘導体又はフェロセンとその誘導体の混合から選択されるもので、又は炭酸マンガン、塩基性炭酸銅、塩基性炭酸マグネシウム、炭酸鉄、クエン酸カリウム、クエン酸ナトリウム、クエン酸アンモニウム、クエン酸第二鉄アンモニウム、シュウ酸カリウム、シュウ酸ナトリウム、シュウ酸アンモニウム、シュウ酸第二鉄、シュウ酸マグネシウム二水和物、シュウ酸マンガン二水和物、シュウ酸第二銅の中の一つ又はその組み合わせであることができる。
【００１４】
本発明の有機酸系化合物は、デカン酸、ドデカン酸、ミリスチン酸、パルミチン酸、ヘプタデカン酸、ステアリン酸、アラキジン酸、ベヘン酸、セロチン酸、メリシン酸、ラッセル酸、クロトン酸、オクタデセン酸、ヘプタデセン酸、２−ヘキサデセン酸、ヘキサジエン酸、シュウ酸、マロン酸、コハク酸、グルタル酸、ピメリン酸、スベリン酸、セバシン酸、ブラシル酸、ヘキサデカン二酸、マレイン酸、フマル酸、２−ヒドロキシプロパン酸、２−ヒドロキシブタン二酸、２，３−ジヒドロキシブタン二酸、２−ヒドロキシプロパン−１，２，３−トリカルボン酸、３−フェニル−２−プロペン酸、２−ヒドロキシ安息香酸、３，４，５−トリヒドロキシ安息香酸、安息香酸又はクレアチンであることができる。
【発明の効果】
【００１５】
本発明の有機酸系化合物を含有する消火組成物は以下のメリットを有する。
一、本発明の消火組成物は有機酸系化合物を含有し、加熱された瞬間消火物質を放出し、消火物質の物理又は化学抑制作用によって、又は物理及び化学の協同抑制作用で消火し、また、メイン消火材料の含有量を最適化することによって、消火組成物の消火効力を一層発揮でき、消火効力を大幅に向上させ、消火時間を短縮し、消火組成物の消火効率を向上させる。
二、本発明の消火組成物に難燃剤、添加剤及び他のサブ消火材料が添加されたので、メイン消火材料である有機酸系化合物の消火性能及び加工性能を一層向上させ、性能の安定化を実現し、長期間に貯蔵できる。
三、本発明の消火組成物は花火類薬剤を熱エネルギー源としたので、その利用が便利である。
四、本発明の消火組成物は、加熱される場合、すぐに吸熱し分解し、高速に花火類薬剤の燃焼による熱量を効率的に、且つ迅速的に解放し、消火装置の噴射口及び噴射物質の温度を大幅に低下し、より安全である。
【発明を実施するための形態】
【００１６】
以下、実験を結合して本発明による有機酸系化合物を含有する消火組成物の実施例を説明する。
当該消火組成物は有機酸系化合物を含有し、その中、有機酸系化合物の含有量は５０（質量）％以上であって、７０（質量）％〜９０（質量）％であることが好ましく、当該有機酸系化合物はデカン酸、ドデカン酸、ミリスチン酸、パルミチン酸、ヘプタデカン酸、ステアリン酸、アラキジン酸、ベヘン酸、セロチン酸、メリシン酸、ラッセル酸、クロトン酸、オクタデセン酸、ヘプタデセン酸、２−ヘキサデセン酸、ヘキサジエン酸、シュウ酸、マロン酸、コハク酸、グルタル酸、ピメリン酸、スベリン酸、セバシン酸、ブラシル酸、ヘキサデカン二酸、マレイン酸、フマル酸、２−ヒドロキシプロパン酸、２−ヒドロキシブタン二酸、２，３−ジヒドロキシブタン二酸、２−ヒドロキシプロパン−１，２，３−トリカルボン酸、３−フェニル−２−プロペン酸、２−ヒドロキシ安息香酸、３，４，５−トリヒドロキシ安息香酸、安息香酸又はクレアチン等から選択されるものであって、いずれも高温で吸熱して分解し、消火物質を生成し、当該消火物質はラジカルが燃焼連鎖反応に必要なＯ、ＯＨ、Ｈラジカル中の１種類又は複数種類と反応することで、燃焼連鎖反応を切断し、また、物理作用によって酸素の分圧を減少して火炎を抑制することもでき、又は、物理と化学抑制作用によって消火の効果を実現することもでき、同時に、花火類薬剤と相乗効果を果たして消火剤の消火効力を一層向上させ、消火時間を大幅に短縮できる。
【００１７】
上記のメイン消火材料である有機酸系化合物の消火性能を改善するため、上記消火組成物に難燃剤である臭素系難燃剤、塩素系難燃剤、有機リン系難燃剤、リンーハロゲン系難燃剤、窒素系及びリン−窒素系難燃剤又は無機難燃剤又はそれらの任意の組合せをさらに添加することができる。具体的には、リン酸水素二アンモニウム、無水燐酸アンモニウム、ジシアンジアミド、メラミン、テトラブロモビスフェノールＡ、テトラクロロビスフェノールＡ、デカブロモジフェニルエーテル、ＤＯＰＯ、トリス（２，４−ジブロモフェニル）フォスフェート、メラミン、メラミンホスフェート、リン酸グアニジン、炭酸グアニジン、ジシアンジアミド、ポリリン酸アンモニウム等から選択することができ、また、これらに限定されず、有機酸系化合物と混合して消火効果を実現できる難燃剤であればよい。ここで、難燃剤の消火組成物における含有量は５０（質量）％未満であって、４０％以下であることもでき、３０％以下であることが好ましく、４％〜２５％であることが最も好ましく、具体的な配合率に基づいて調節できる。
【００１８】
本発明の消火組成物に添加剤を添加することで上記メイン消火材料である有機酸系化合物の加工性能を改善することもできる。ここで、添加剤の含有量は０．１〜１０質量％で、０．１〜５であることが好ましく、当該添加剤はステアリン酸塩、グラファイト、水溶性高重合体配合溶液又はその混合物であることができ、又は水ガラス、フェノール樹脂、ラック、澱粉の中の一つ又は複数であることもでき、応用状況に応じて選択することができる。ここで、添加剤の中に粘着剤を含有し、粘着剤は本分野の周知技術であって、通常、消火組成物における含有量は１５％以下である。
【００１９】
本発明の消火組成物にサブ消火材料を添加することもでき、その含有量は０〜３０（質量）％に制御され、４％〜２５％であることが好ましく、フェロセン又はその誘導体又は両方の組み合わせであり、又は炭酸マンガン、塩基性炭酸銅、塩基性炭酸マグネシウム、炭酸鉄、クエン酸カリウム、クエン酸ナトリウム、クエン酸アンモニウム、クエン酸第二鉄アンモニウム、シュウ酸カリウム、シュウ酸ナトリウム、シュウ酸アンモニウム、シュウ酸第二鉄、シュウ酸マグネシウム二水和物、シュウ酸マンガン二水和物、シュウ酸第二銅の中の一つ又はその組み合わせである。
【００２０】
得られたシート状の消火組成物６５ｇをそれぞれ、５０ｇＫ型の熱エアロゾル発生剤が投入された消火装置に添加し、それぞれ、ＧＡ８６−２００９第６．３．２型で消火試験を行って、消火級は８Ｂを選択し、試験テスト結果は表１に示すとおりである。比較例として５０ｇの市販のＫ型熱エアロゾル発生剤を選択した。
【００２１】
【表１】
2014527437.tif 000002
【００２２】
表１から明らかに分かるように、本発明の実施例１〜１２の有機酸をメイン消火材料とする組成物の消火効率が比較例に比べはるかに優れていると共に、消火時間及び発生器の噴射口の温度においても比較例に比べ優れている。
【国際調査報告】
2014527437.tif 000003
2014527437.tif 000004
2014527437.tif 000005
2014527437.tif 000006
2014527437.tif 000007
2014527437.tif 000008